(57)【要約】【課題】メンテナンスに係るダウンタイムを減らし、且つ安定な成膜プロセス装置を提供する。【解決手段】枚葉式ＣＶＤ装置であって、（ａ）反応チャンバを備え、該反応チャンバは、（ｉ）該反応チャンバ内にあって、成膜時に基板の裏面、外周を経て該反応チャンバ内にガスを流出させるための少なくとも一つのガス吐出孔を備えるサセプタ、（ｉｉ）シャワーヘッド、（ｉｉｉ）前記シャワーヘッドの周辺近傍に位置し、前記反応チャンバの内壁面に沿って環状に設けられた排気ダクト、及び（ｉｖ）前記排気ダクト手段と同軸でその底面と僅かに隙間を形成するように設置された環状の分離板とから成り、及び（ｂ）前記シャワーヘッドを所定の温度に温度制御する為の温度制御装置、を有する装置である。【選択図】図１
2004006794.tif 000002
【特許請求の範囲】
【請求項１】
反応チャンバとその下部に設けられた基板搬送チャンバを備えた枚葉式ＣＶＤ装置の、該基板搬送チャンバ内に位置したサセプタ上に基板を載置する工程、
サセプタを上昇し基板を反応チャンバに位置させる工程、
該位置にサセプタが移動したときに、反応チャンバと基板搬送チャンバの間に設けられサセプタと同軸の環状分離板とサセプタの外周部を密着させ反応チャンバと基板搬送チャンバを分離する工程、
反応チャンバ内に設置されたシャワーヘッドから該被処理体に反応ガスを噴射する工程、
基板への成膜処理を行う工程、
サセプタに設けられた、サセプタの底面から上面に貫通する少なくとも一つのガス吐出孔を通して基板搬送チャンバからサセプタに載置された基板の裏面、該基板の外周を経て、反応チャンバへ不活性ガスを成膜時に吐出する工程、
シャワーヘッドの周辺近傍に位置し反応チャンバの内壁面に沿って環状に設けられた排気ダクトにより排気する工程、
成膜終了後にサセプタを降下し、基板を基板搬送チャンバに移動する工程、を包含する成膜方法。
【請求項２】
成膜時に基板の外周部の非成膜領域を環状ガードリングで覆う工程を更に含む、請求項１記載の方法。
【請求項３】
環状ガードリングは分離板の内周部に設けられており、不活性ガスの吐出は基板裏面、基板外周、及び環状ガードリングと基板の隙間を通して反応チャンバ内へ行う、請求項２記載の方法。
【請求項４】
サセプタは複数の基板リフトピンを備えており、該リフトピンをガス吐出孔として用いる、請求項１記載の方法。
【請求項５】
サセプタが上昇し基板が反応チャンバに位置し反応チャンバと基板搬送チャンバが分離したとき、ガードリングの内周部を基板の外周部に当接させる、請求項２記載の方法。
【請求項６】
排気は排気ダクトと分離板の間に形成された隙間を通して行う、請求項１記載の方法。
【請求項７】
該隙間は、分離板の厚みを変えることにより、約０．１ｍｍ〜約５ｍｍの範囲で行う、請求項６記載の方法。
【請求項８】
成膜を温度５０℃〜４００℃で行う、請求項１記載の方法。
【請求項９】
成膜中の圧力を、分離板とサセプタとの隙間及び反応ガス流量をパラメータとして使うことにより環状排気ダクト内の圧力を計算し算出する、請求項１記載の方法。
【請求項１０】
反応チャンバとその下部に設けられた基板搬送チャンバを備えた枚葉式ＣＶＤ装置の、該基板搬送チャンバ内に位置したサセプタ上に基板を載置する工程、
サセプタを上昇し基板を反応チャンバに位置させる工程、
該位置にサセプタが移動したときに、反応チャンバと基板搬送チャンバの間に設けられサセプタと同軸の環状分離板とサセプタの外周部を密着させ反応チャンバと基板搬送チャンバを分離する工程、
反応チャンバ内に設置されたシャワーヘッドから該被処理体に反応ガスを噴射する工程、
基板への成膜処理を行う工程、
サセプタに設けられた、サセプタの底面から上面に貫通する少なくとも一つのガス吐出孔を通して基板搬送チャンバからサセプタに載置された基板の外周、分離板内周端を経て、反応チャンバへ不活性ガスを成膜時に吐出する工程、
シャワーヘッドの周辺近傍に位置し反応チャンバの内壁面に沿って環状に設けられた排気ダクトにより排気する工程、
成膜終了後にサセプタを降下し、基板を基板搬送チャンバに移動する工程、を包含する成膜方法。
【請求項１１】
成膜時に基板の外周部の非成膜領域を環状ガードリングで覆う工程を更に含み、環状ガードリングは分離板の内周部に設けられており、不活性ガスの吐出は基板外周及び環状ガードリングと基板の隙間を通して反応チャンバ内へ行う、請求項１０記載の方法。
【請求項１２】
一枚ずつ半導体基板を成膜する枚葉式ＣＶＤ装置であって、
反応チャンバを備え、該反応チャンバは、（ｉ）該反応チャンバ内にあって基板を載置しかつ加熱する為のサセプタであって、その内に設けられ、成膜時に基板の裏面、外周を経て該反応チャンバ内にガスを流出させるための少なくとも一つのガス吐出孔を備え、垂直方向に移動可能なサセプタ、（ｉｉ）前記反応チャンバ内にあって、前記サセプタと対向し、それと平行に設置され前記基板に反応ガスを噴射する為のシャワーヘッド、（ｉｉｉ）前記シャワーヘッドの周辺近傍に位置し、前記反応チャンバの内壁面に沿って環状に設けられた排気ダクト、及び（ｉｖ）前記排気ダクト手段と同軸でその底面と僅かに隙間を形成するように設置された環状の分離板であって、該分離板下部は密閉部を有し、サセプタが上昇した時にサセプタ外周部を該密閉部によりシールし、前記反応チャンバと該反応チャンバの下部に設置され得る基板搬送チャンバとを完全に分離する環状分離板、及び前記シャワーヘッドを所定の温度に温度制御する為の温度制御装置、を有する装置。
【請求項１３】
密閉部はＯ−リングからなる請求項１２の装置。
【請求項１４】
分離板の内周に沿って基板外周部の非成膜領域を被うために設置された環状のガードリングを更に備えた、請求項１２記載の装置。
【請求項１５】
環状のガードリングは分離板の内周部に設けられ、該少なくとも一つのガス吐出孔から流出するガスがガードリングと基板の間の隙間を通って反応チャンバ中へ流出するように設置されている、請求項１４記載の装置。
【請求項１６】
分離板と排気ダクトの底面との隙間は分離板の厚みを変えることにより、約０．１ｍｍ〜約５ｍｍの範囲で調整可能である、請求項１２記載の装置。
【請求項１７】
前記所定温度は約５０℃〜約４００℃である、請求項１２記載の装置。
【請求項１８】
ガードリングは、基板外周部の非成膜領域が基板エッジ部より約０．５ｍｍ〜約３ｍｍとなるように設置されている、請求項１４記載の装置。
【請求項１９】
前記温度制御装置は、前記シャワーヘッドに近接配置された少なくとも一つの加熱器と、前記シャワーヘッドに近接配置された少なくとも一つの冷却器と、温度測定器と、前記加熱器と、冷却器及び温度測定器に接続された温度調節器とから成る、請求項１２記載の装置。
【請求項２０】
前記分離板とサセプタとの隙間及び反応ガス流量をパラメータとして基板近傍の圧力を計算することにより前記排気ダクト内の圧力を算出するための圧力検出器を更に有する、請求項１２記載の装置。
【請求項２１】
サセプタは複数の基板リフトピンを有し、該リフトピンの孔をガス吐出孔として用いる、請求項１２記載の装置。
【請求項２２】
ガス吐出孔は基板リフトピン以外にサセプタに設けられた一つの又は複数の孔である、請求項１２記載の装置。
【請求項２３】
一枚ずつ半導体基板を成膜する枚葉式ＣＶＤ装置であって、
反応チャンバを備え、該反応チャンバは、（ｉ）該反応チャンバ内にあって基板を載置しかつ加熱する為のサセプタであって、その内に設けられ、成膜時に基板の外周を経て該反応チャンバ内にガスを流出させるため、基板の載置位置の外側に設けられた少なくとも一つのガス吐出孔を備え、垂直方向に移動可能なサセプタ、（ｉｉ）前記反応チャンバ内にあって、前記サセプタと対向し、それと平行に設置され前記基板に反応ガスを噴射する為のシャワーヘッド、（ｉｉｉ）前記シャワーヘッドの周辺近傍に位置し、前記反応チャンバの内壁面に沿って環状に設けられた排気ダクト、及び（ｉｖ）前記排気ダクト手段と同軸でその底面と僅かに隙間を形成するように設置された環状の分離板であって、該分離板下部は密閉部を有し、サセプタが上昇した時にサセプタ外周部を該密閉部によりシールし、該分離板底面の該密閉部より内周部分が前記少なくとも一つのガス吐出孔を覆う位置に設けられた前記反応チャンバと該反応チャンバの下部に設置され得る基板搬送チャンバとを完全に分離する環状分離板、及び
前記シャワーヘッドを所定の温度に温度制御する為の温度制御装置、を有する装置。
【請求項２４】
分離板の内周に沿って基板外周部の非成膜領域を被うために設置された環状のガードリングを更に備え、該環状ガードリングは分離板の内周部に設けられ、該少なくとも一つのガス吐出孔から流出するガスがガードリングと基板の間の隙間を通って反応チャンバ中へ流出するようにした、請求項２３記載の装置。
【発明の詳細な説明】
【０００１】
本出願は、米国仮出願Ｎｏ．６０／３７２，６２４、出願日２００２年４月１２日、を基礎とする優先権の利益を享受する出願である。
【０００２】
【発明の属する技術分野】
本発明は半導体基板である被処理体を一枚ずつ成膜を行う枚葉式ＣＶＤ（化学気相成長）に関する。
【０００３】
【従来技術及び発明が解決しようとする課題】
半導体装置の高集積化により従来使用されていたＡｌ配線からより電気抵抗の低いＣｕを使用した配線が用いられるようになっている。またＣｕを用いる際にはＣｕの拡散を防止するためのバリアーメタルとしてＴｉＮ、ＴａＮ等従来用いられていない金属膜の成膜が必要となってきている。現状ではこれらバリアーメタルはスパッタによる成膜が主流であり、Ｃｕ配線ではスパッタによる薄膜のシードレイヤーを形成した後メッキによりＣｕの堆積が行われている。しかしながら今後更なる高集積化は避けられずＰＶＤ（物理蒸着、スパッタ）より段差被覆性に優れたＣＶＤによる成膜が重要となる。これらの金属膜や半導体装置への影響が明らかになっていない金属膜を従来のＣＶＤ装置で成膜を行った場合、被処理体裏面やエッジ部分からのメタル汚染により半導体製造ラインの汚染を引き起こし歩留まりの低下が起こる可能性が高い。このような問題を解決する為に従来は金属膜成膜後基板裏面やエッジ部のクリーニングを行う装置が専用で必要となっていた。このため半導体基板のエッジ部を機械的にクランプし裏面及びエッジの成膜を抑える方法もとられているが、半導体基板に傷がついたり、パーティクルが発生するなどの新たな問題が発生する。さらにまた、これら金属膜は成膜装置内のクリーニングも従来の方法が使用できず極力反応チャンバ内に堆積させないことが生産性向上のために重要である。
【０００４】
【課題を解決するための手段】
上記問題を達成する為に本発明に係る一態様としての装置は以下の手段からなる。
【０００５】
一枚ずつ半導体基板を成膜する枚葉式ＣＶＤ装置であって、
反応チャンバを備え、該反応チャンバは、（ｉ）該反応チャンバ内にあって基板を載置しかつ加熱する為のサセプタであって、その内に設けられ、成膜時に基板の裏面、外周を経て該反応チャンバ内にガスを流出させるための少なくとも一つのガス吐出孔を備え、垂直方向に移動可能なサセプタ、（ｉｉ）前記反応チャンバ内にあって、前記サセプタと対向し、それと平行に設置され前記基板に反応ガスを噴射する為のシャワーヘッド、（ｉｉｉ）前記シャワーヘッドの周辺近傍に位置し、前記反応チャンバの内壁面に沿って環状に設けられた排気ダクト、及び（ｉｖ）前記排気ダクト手段と同軸でその底面と僅かに隙間を形成するように設置された環状の分離板であって、該分離板下部は密閉部を有し、サセプタが上昇した時にサセプタ外周部を該密閉部によりシールし、前記反応チャンバと該反応チャンバの下部に設置され得る基板搬送チャンバとを完全に分離する環状分離板、及び前記シャワーヘッドを所定の温度に温度制御する為の温度制御装置、を有する装置である。
【０００６】
一態様によれば、密閉部はＯ−リングからなる。また、上記の装置は分離板の内周に沿って被処理体外周部の非成膜領域を被うために設置された環状のガードリングを更に備えてもよい。環状のガードリングは分離板の内周部に設けられ、ガス吐出孔から流出するガスがガードリングと基板の間の隙間を通って反応チャンバ中へ流出するようにしてもよい。また、分離板と排気ダクトの底面との隙間は分離板の厚みを変えることにより、約０．１ｍｍ〜約５ｍｍの範囲（他の範囲や好ましい範囲は後述する）で調整可能としてもよい。一態様によれば温度制御による所定温度は約５０℃〜約４００℃（他の範囲や好ましい範囲は後述する）である。また、一態様によれば、ガードリングは、被処理体外周部の非成膜領域であって該処理体エッジ部より約０．５ｍｍ〜約３ｍｍ（他の範囲や好ましい範囲は後述する）の環状の領域をカバーするように設置することができる。更に、一態様によれば、前記温度制御機構は、前記シャワーヘッドに近接配置された一つ若しくはそれ以上の加熱手段と、前記シャワーヘッドに近接配置された一つ若しくはそれ以上の冷却手段と、温度測定手段と、前記加熱手段と、冷却手段及び温度測定手段に結合された温度調節手段とから成っている。更には、成膜中の圧力測定手段であって、被処理体近傍の圧力を、前記分離板とサセプタとの隙間及び反応ガス流量をパラメータとする計算により前記排気ダクト内の圧力を算出して求める手段を更に備えてもよい。
【０００７】
なお、サセプタは複数の基板リフトピンを有することでき、該リフトピンの孔をガス吐出孔として用いると構造上、簡単にサセプタからのガス吐出を実現することができる。ガス吐出孔はそれに限らず、基板リフトピン以外にサセプタに設けられた孔であってもよい。
【０００８】
なお、別の態様によれば、上記の装置において、ガス吐出孔が、前記サセプタ内に設けられ、成膜時に被処理体の外周を経て反応チャンバ内にガスを流出させるべく、被処理体の載置位置の外側に設けられていてもよく、その場合、環状の分離板は、該分離板底面の該密閉手段より内周部分が前記ガス吐出孔を覆う位置に設けられていてもよい。このような装置においては、分離板の内周に沿って被処理体外周部の非成膜領域を被うために設置された環状のガードリングを更に備え、該環状ガードリングは分離板の内周部に設けられ、ガス吐出孔から流出するガスがガードリングと基板の間の隙間を通って反応チャンバ中へ流出するようにしてもよい。上記の態様においては、ガス吐出孔から吐出するガスは被処理体（基板）の裏面を通らずに、分離板との重なり部分に吐出され、基板の外周を経て、反応チャンバ内に流出する。この態様においても、不要部分への成膜を効果的に防止することができる。
【０００９】
なお、本発明は成膜方法にも効果的に適用できる。即ち、本発明の一態様によれば、成膜方法は、（ａ）反応チャンバとその下部に設けられた基板搬送チャンバを備えた枚葉式ＣＶＤ装置の、該基板搬送チャンバ内に位置したサセプタ上に基板を載置する工程、（ｂ）サセプタを上昇し基板を反応チャンバに位置させる工程、（ｃ）該位置にサセプタが移動したときに、反応チャンバと基板搬送チャンバの間に設けられサセプタと同軸の環状分離板とサセプタの外周部を密着させ反応チャンバと基板搬送チャンバを分離する工程、（ｄ）反応チャンバ内に設置されたシャワーヘッドから該被処理体に反応ガスを噴射する工程、（ｅ）基板への成膜処理を行う工程、（ｆ）サセプタに設けられた、サセプタの底面から上面に貫通する少なくとも一つのガス吐出孔を通して基板搬送チャンバからサセプタに載置された基板の裏面、該基板の外周を経て、反応チャンバへ不活性ガスを成膜時に吐出する工程、（ｇ）シャワーヘッドの周辺近傍に位置し反応チャンバの内壁面に沿って環状に設けられた排気ダクトにより排気する工程、（ｈ）成膜終了後にサセプタを降下し、基板を基板搬送チャンバに移動する工程、を包含する。
【００１０】
上記で、成膜時に基板の外周部の非成膜領域を環状ガードリングで覆う工程を更に含むことができる。また、環状ガードリングは分離板の内周部に設けることができ、不活性ガスの吐出は基板裏面、基板外周、及び環状ガードリングと基板の隙間を通して反応チャンバ内へ行うことができる。更に、サセプタは複数の基板リフトピンを備えることができ、該リフトピンをガス吐出孔として用いることができる。サセプタが上昇し基板が反応チャンバに位置し反応チャンバと基板搬送チャンバが分離したとき、ガードリングの内周部を基板の外周部に当接させてもよい。また、排気は排気ダクトと分離板の間に形成された隙間を通して行ってもよい。該隙間は、一態様によれば分離板の厚みを変えることにより、約０．１ｍｍ〜約５ｍｍの範囲（その他の範囲は後述する）で行うことができる。成膜は一態様によれば温度約５０℃〜約４００℃（１００℃、１５０℃、２００℃、３００℃、及び前記のいずれかを含む範囲を含む）で行う。更に、成膜中の圧力を、分離板とサセプタとの隙間及び反応ガス流量をパラメータとする計算により排気ダクト内の圧力を測定することにより行ってもよい。
【００１１】
なお、前述したように、別の態様によれば、上記の方法において、不活性ガス吐出工程で、サセプタに設けられた、サセプタの底面から上面に貫通する少なくとも一つのガス吐出孔を通して基板搬送チャンバからサセプタに載置された基板の外周、分離板内周端を経て、反応チャンバへ不活性ガスを成膜時に吐出するようにしてもよい。その場合、分離板の内周部に設けられた環状ガードリングを設け、不活性ガスの吐出は基板外周及び環状ガードリングと基板の隙間を通して反応チャンバ内へ行ってもよい。ガスを基板裏面に噴出させなくとも、上記の態様によれば基板の外周を経て反応チャンバ内に噴出されるので、効果的に基板裏面等の不要部分への成膜を防止することができる。
【００１２】
本発明と従来技術を超える利点を要約する目的で、本発明の特定の目的と利点について上記で説明した。勿論、そのような目的または利点の全てが本発明の特定の態様に従い達成されるとは限らない。従って、たとえば、当業者であれば、ここで教示または示唆され得る目的や利点を必ずしも達成させることなしに、ここで教示された他の一つの又は一群の利点を達成又は強調するように本発明を実現又は実施し得ることを理解するであろう。本発明のこの他の態様、特徴、利点は以下に述べる好ましい実施態様の詳細な説明から明らかとなるであろう。
【００１３】
【発明の実施の態様】
上記したように、ある態様では、半導体基板である被処理体を一枚ずつ処理する枚葉式ＣＶＤ装置は、反応チャンバと、反応チャンバ内にあって、被処理体を載置しかつ加熱する為のサセプタであって、反応チャンバ内にあって、サセプタと対向し、それと平行に設置され被処理体に反応ガスを噴射する為のシャワーヘッドであって、前記シャワーヘッドを所定の温度に温度制御する為の温度制御機構と、前記サセプタを上下移動する為の昇降手段と、前記シャワーヘッドの周辺近接に位置し、前記リアクタの内壁面に沿って環状に設けられた排気ダクト手段と、前記排気ダクト手段と同軸でその底面と僅かに隙間を形成するように及び成膜時に前記サセプタとの間に僅かに隙間を形成するように設置された環状の分離板であって、前記分離板下部が前記サセプタ昇降手段により上昇時にサセプタ外周部を密閉手段（例えばＯ−リング）によりシールし、前記反応リアクタと基板搬送チャンバを完全に分離する手段よりなり得る。
【００１４】
本発明に係る他の実施態様によれば、半導体基板である被処理体を一枚ずつ処理する枚葉式ＣＶＤ装置は、反応チャンバと、反応チャンバ内にあって、被処理体を載置しかつ加熱する為のサセプタであって、反応チャンバ内にあって、サセプタと対向し、それと平行に設置され被処理体に反応ガスを噴射する為のシャワーヘッドであって、前記シャワーヘッドを所定の温度に温度制御する為の温度制御機構と、前記サセプタを上下移動する為の昇降手段と、前記シャワーヘッドの周辺近接に位置し、前記リアクタの内壁面に沿って環状に設けられた排気ダクト手段と、前記排気ダクト手段と同軸でその底面と僅かに隙間を形成するように及び成膜時に前記サセプタとの間に僅かに隙間を形成するように設置された環状の分離板であって、前記分離板下部が前記サセプタ昇降手段により上昇時にサセプタ外周部をＯ−リング手段によりシールし、前記反応リアクタと基板搬送チャンバを完全に分離し、前記基板搬送チャンバ内に不活性ガスを導入する為の手段であって、成膜時に被処理体裏面から前記分離板と、前記排気ダクト手段と同軸でその底面と僅かに隙間を形成するように設置された環状の分離板の内周に沿って被処理体外周部の所定領域を完全に被うように設置された環状のガードリングとの隙間を通じて基板搬送チャンバから反応チャンバ方向に不活性ガスを流すところの手段よりなり得る。
【００１５】
ガードリングは分離板と同素材でもよいし、別素材でもよく、特に限定されないが、例えば、分離板とガードリングをＣｕコーティングした金属材料（アルミ合金等）またはセラミック（アルミナ等）で構成することができ、また分離板に上記の素材を用い、ガードリングには樹脂材、例えばポリイミド系材料、ポリテトラフルオロエチレン（ＰＴＦＥ、商品名テフロン（登録商標））のような耐熱樹脂を用いることができる。なお、ガードリングは絶縁性か導電性のいずれであってもよい。
【００１６】
好適にはシャワーヘッドの所定の温度は約５０℃〜約４００℃（８０℃、１００℃、２００℃、３００℃、及び以上のいずれかを含む範囲を含む）でよい。また、排気ダクト底面と分離板との間の僅かな隙間および分離板とサセプタとの間の僅かな隙間は約０．１ｍｍ〜約５ｍｍ（０．２ｍｍ、０．３ｍｍ、０．４ｍｍ、０．５ｍｍ、０．７ｍｍ、１．０ｍｍ、１．５ｍｍ、２．０ｍｍ、３ｍｍ、４ｍｍ、及び以上のいずれかを含む範囲を含む）、好ましくは約０．２ｍｍ〜約４ｍｍ、更に好ましくは約０．５ｍｍ〜約２ｍｍでよい。これらの間隔は前記分離板の厚みを変更する事により変更でき、あるいは分離板の取付け位置を調整することでも変更できる。なお上記で、被処理体外周部の非成膜領域は具体的処理工程の種類、上記では、被処理体（基板）のサイズ（通常は径２００〜３００ｍｍ程度）、そして用途により異なるが、該領域は該被処理体の外周から約０．２ｍｍ〜約１０ｍｍ内側（０．５ｍｍ、１．０ｍｍ、１．５ｍｍ、２．０ｍｍ、２．５ｍｍ、５ｍｍ、及び以上のいずれかを含む範囲を含む）、好適には約０．５ｍｍ〜約３ｍｍである。環状ガードリングは該領域をカバーするように設置され得る。環状ガードリングは分離板の延長として設けてもよいし、分離板とは別に、例えばサセプタ部分に設置することもできる。
【００１７】
なお、該装置は成膜中の被処理対近傍の圧力を、排気ダクト内の圧力測定値から、前記分離板とサセプタとの隙間及び反応ガス流量をパラメータとする計算より求める手段を含み得る。
【００１８】
なお、被処理体の外周部分での成膜を防止する処理が必要ない場合は、環状のガードリングは不要である。
【００１９】
また本発明の一態様によれば、基板搬送チャンバと反応チャンバが分離板により完全に分離された際、基板搬送チャンバから反応チャンバ方向に不活性ガスを流し、基板の裏面部分への成膜等を防止するために、サセプタにガス吐出孔を基板の外周よりも少し内側の部分に環状に複数配置する。これにより、ガスが基板裏面の外周より僅かに内側部分に吐出し基板の外周を回って反応チャンバ内へ流れる。このようなガス吐出孔を環状に複数設けることで、基板の裏面から外周部分を通ってガスが反応チャンバへ向けて流出するので、エアーカーテンのようなガス気流によるカーテンを形成することができ、これにより基板の裏面部分等への望まない成膜を完全に防止することが可能となる。その結果、メタル汚染を効果的に防止することが可能となる。
【００２０】
ガス吐出孔の配置位置はガスの吐出により基板裏面への成膜が効果的に防止できる位置であれば特に制限はない。例としては、サセプタ中心部と基板外周部の距離の約１／２より外側であって、基板エッジより約５ｍｍ内側までのドーナツ状の領域に位置するようにすることができる。即ち、３００ｍｍ径の基板用の装置では、サセプタ中心点から約７５ｍｍから約１４５ｍｍ（８５ｍｍ、９５ｍｍ、１０５ｍｍ、１１５ｍｍ、１２５ｍｍ、１３５ｍｍ、及び以上のいずれかを含む範囲を含む）の領域、２００ｍｍ径の基板用装置であれば、サセプタ中心点から約５０ｍｍから約９５ｍｍ（７５ｍｍ、８０ｍｍ、８５ｍｍ、９０ｍｍ、及び以上のいずれかを含む範囲を含む）までの領域でよい。ある態様においては、該領域は基板外周から約０．１ｍｍ〜約５０ｍｍ（０．５ｍｍ、１．０ｍｍ、５ｍｍ、１０ｍｍ、２０ｍｍ、３０ｍｍ、４０ｍｍ、及び以上のいずれかを含む範囲を含む）内側の部分（好適には約２ｍｍ〜約２０ｍｍ程度）でよい。吐出孔の数も特に制限はないが、１〜１００程度（２、３、４、５、６、７、８、９、１０、２０、３０、４０、５０、６０、７０、８０、９０、及び以上のいずれかを含む範囲を含む）設けることができる（一態様によれば３〜１０程度である）。配置はサセプタ中心から同心円状に均等になるようにすればよく、環状に配置するのが好ましいが、一列に限らず、複数列設けてもよい。また径も特に限定されないが、例えば、約０．２ｍｍ〜約５ｍｍ（０．５ｍｍ、１．０ｍｍ、１．５ｍｍ、２．０ｍｍ、３ｍｍ、４ｍｍ、及び以上のいずれかのを含む範囲を含む）でよい。一態様によれば約０．５ｍｍ〜約１．５ｍｍでよい。なお、形状は断面が円形であるのが一般的であるが、それに限らず、スリット状に形成してもよい。スリット状の場合は、幅が上記の径程度で、長さは特に限定されない。サセプタの構造上、可能であれば例えば一つが半周に渡るように形成したり、全周の４分の一渡るように形成することも可能である（サセプタの中心から所定の距離においてサセプタの円周の１／１６、１／８、１／４、１／３、１／２、１／１、及び以上のいずれかを含む範囲、更に以上のいずれの組合せを含む）。
【００２１】
ガス吐出孔を含む構造は、対象となるプロセスにより異なり、適宜、ガス吐出孔の直径、孔数、位置等を設定する。例えば、反応チャンバの圧力が高いプロセスであれば、サセプタ下部から流すガスの流量を増やす必要があり、孔の直径を大きくしたり、孔数を増やす。
【００２２】
ガス吐出孔としてサセプタに設けられた基板リフトピンの孔を利用すると簡単にガス吐出が実現できる（この場合リフトピンの数によりガス吐出孔の数が変わることになるがある場合では３つである）。上記のように反応チャンバの圧力が高い場合等では、リフトピン以外にガス吐出孔を設けてもよいし、リフトピンを使わずに、別途、ガス吐出専用の孔を設けてもよい。ガスが基板裏面から基板の外周を経て反応チャンバ内へ流出するように設定できるのであれば、ガス吐出孔は中心に一つ設けてもよいし、中心とその周りに環状に設けてもよい。
【００２３】
なお、ガス吐出孔は前記の環状ガードリングがない態様においても設けることができる。環状ガードリングとともに用いる場合は、該ガードリングが基板の外周部分を覆うので、ガス吐出孔の配置位置は上記構造に限定されることなく、たとえばサセプタの基板が配置する外側の位置（例えば外周から外側に０ｍｍ〜５ｍｍ程度、０．１ｍｍ、０．５ｍｍ、１ｍｍ、２ｍｍ、３ｍｍ、４ｍｍ、１０ｍｍ、及び以上のいずれかを含む範囲を含む）に設けることも可能である。その場合でもガスはガードリングと基板の隙間を通って反応チャンバ中へ流出していくので、基板裏面等への不要な成膜を防止することが可能である。
【００２４】
ガスの種類は特に限定されないが、不活性ガスであるＡｒ、Ｈｅ、Ｋｒ、Ｎｅ、Ｎ２等広く使うことができる。また、ガス吐出量は不要な成膜が防止できる量であれば特に限定されないが、例えば、約１ｓｃｃｍ〜約２０００ｓｃｃｍ（５ｓｃｃｍ、１０ｓｃｃｍ、５０ｓｃｃｍ、１００ｓｃｃｍ、５００ｓｃｃｍ、１０００ｓｃｃｍ、１５００ｓｃｃｍ、及び以上のいずれかを含む範囲を含む）でよい。一態様によれば約５０ｓｃｃｍ〜約５００ｓｃｃｍである。なおガスは成膜中は継続的に導入してもよいし、断続的に又は間欠的に導入してもよい。また成膜中のみならず、その前後にも導入してもよい。
【００２５】
本発明においてはその他の構造、要件等は特願２００１−３６１６６９（出願日２００１年１１月２７日）、特願２０００−２５１４５５（出願日２０００年８月２２日）、米国特許出願第０９／９３２７９０号（出願日２００１年８月１７日）に開示のものを適用することができる。なお、これらの出願はリファレンスとしてこの出願に組込まれる。
【００２６】
例えば特願２００１−３６１６６９（出願日２００１年１１月２７日）の図６に示した装置に本願の構造を組み込むことができる。参考に該出願の図６を本願明細書に添付し、該図はここでは図５となっている。
【００２７】
図５はセルフクリーニングを実行する平行平板プラズマＣＶＤ装置の実施例を示したものである。当該装置は遠隔プラズマクリーニングを実行する３００ｍｍ基板処理用の平行平板プラズマＣＶＤ装置である。
【００２８】
リアクタ内部には、ガラス若しくはシリコン基板などの被処理体６０１を載置するためのサセプタ６０３が設置されている。該サセプタ６０３は好適にはセラミック若しくはアルミ合金から成り内部には抵抗加熱型ヒータが埋設されている。また該サセプタ６０３はプラズマ生成のための下部電極を兼ねている。本実施例において、サセプタ６０３の直径はφ３２５ｍｍであり、φ３００ｍｍの被処理体６０１に対して１．１７倍の面積を有するが、約１．０８〜約１．３８倍（１．１倍、１．２倍、及び１．３倍、但しある場合では１．５倍、及び以上のいずれかを含む範囲を含む）の範囲であれば他の直径のサセプタを使用することもできる。リアクタの天井位置にはサセプタに平行に対向して反応ガスを被処理体６０１に均一に噴射するためのシャワーヘッド６０４が設けられている。シャワーヘッド６０４はプラズマ生成のための上部電極を兼ねている。本実施例において、シャワーヘッド６０４の直径はφ３８０ｍｍであり、面積はサセプタ６０３の１．３７倍であるが、約１．０５〜約１．４４倍（１．１倍、１．２倍、１．３倍、及び１．４倍、但しある場合では１．５倍、及び以上のいずれかを含む範囲を含む）の範囲であれば他の直径のシャワーヘッドを使用することもできる。
【００２９】
シャワーヘッド６０４の上部にはアルミナ製の天板６４７が設けられている。シャワーヘッド６０４はリアクタの内壁面に沿って環状に設けられたアルミナ製のダクト手段６３３によって支持されている。ダクト手段６３３と同軸でその底面と僅かに隙間を形成するように及び成膜時にサセプタとの間に僅かに隙間を形成するように環状のアルミナ製分離板６３４が設置されている。分離板６３４によってリアクタは反応チャンバと基板搬送チャンバ（ＷＨＣ（Ｗａｆｅｒ　Ｈａｎｄｌｉｎｇ　Ｃｈａｍｂｅｒ））とに実質的に分離される。このようにリアクタ内でシャワーヘッド６０４に近接する部材をすべて絶縁体とすることにより、シャワーヘッド６０４と反応チャンバ内壁との間にプラズマが生じることを防止することができる。上記天板６４７、ダクト手段６３３、分離板６３４等の絶縁体部材は、絶縁性、耐熱性、耐腐食性、耐プラズマ性、低発塵性などの要件を満たすセラミック製であれば有効で、アルミナ以外にも窒化アルミ（ＡｌＮ）若しくはマグネシア（ＭｇＯ）などを使用することもできる。
【００３０】
分離板６３４と上記ダクト手段６３３との間には排気ギャップ６２５が形成されている。ダクト手段６３３の側壁には排気口６２０が設けられ、該排気口６２０はコンダクタンス調整弁６２１を介して真空ポンプ（図示せず）に連通されている。アルミ合金製のＷＨＣの側壁６０２には被処理体６０１をＷＨＣ内６４０へ搬入出するための開口部６２３が設けられている。また、側壁６０２の一部には不活性ガス導入手段（図示せず）に連結された不活性ガス導入口６３５が設けられている。不活性ガス導入口６３５から導入された不活性ガス（好適にはＡｒ若しくはＨｅ）は、分離板６３４とサセプタ６０３との間に形成された隙間を通じて、ＷＨＣから反応チャンバ側へ流れる。この不活性ガスのパージによりサセプタ６０３の下方に向かって反応ガス若しくはプラズマが侵入するのを防止することができる。側壁６０２、ダクト手段６３３、シャワーヘッド６０４及び上部天板６４７はＯリング等のシール手段によりシールされ、大気から隔絶される。サセプタ６０３の下方には基板リフト機構６３２が設けられアルミナ製の複数の基板リフトピン６２４を支持する。基板リフトピン６２４はサセプタ６０３を貫通し、被処理体６０１のエッジ部を保持する。サセプタ６０３及び基板リフト機構６３２はリアクタ外部の昇降機構（図示せず）と機械的に連係し、それぞれ相対的に上下することで、サセプタ６０３上に半導体基板６０１を載置したり、空中で支持したりする。
【００３１】
リアクタの外部には、遠隔プラズマ放電装置６１３が設けられ配管６１４を通じてバルブ６１５を介しシャワーヘッド６０４の開口部６１６に連結されている。クリーニングガスソース（図示せず）は配管６１２を通じて遠隔プラズマ放電装置６１３に連通されている。配管６１４の開口部６１１には配管６０５の一端がバルブ６０６を介して結合されている。配管６０５の他端は反応ガスソース（図示せず）に結合されている。プラズマを生成するための高周波（ＲＦ）電源（６０８，６１８）は出力ケーブル６０９を通じて整合回路６１０を介し、シャワーヘッド６０４の上部６４２に接続されている。本実施例において、サセプタ６０３は接地されている。高周波電源（６０８，６１８）は数百ｋＨｚ〜数十ＭＨｚ（例えば２００ｋＨｚから４０ＭＨｚ）の高周波電力を供給することができる。好適には、膜質制御性を向上するために高周波電源（６０８，６１８）の周波数は異なる。例えば、２ＭＨｚ未満の低周波数ＲＦ電源と２ＭＨｚ以上の高周波数ＲＦ電源を畳重してもよい。
【００３２】
該実施例ではシャワーヘッド（上部電極）６０４表面の温度を制御するための温度制御機構を有する。該温度制御機構は、シャワーヘッド６０４に埋設されたシャワーヘッド６０４を加熱するためのシースヒータ６３１と、シャワーヘッド６０４の温度を測定するための熱電対６３０と、リアクタの外部に設けられた、シースヒータ６３１及び熱電対６３０に接続された成膜時の高周波電力の影響を避けるためのバンドパスフィルタ（６４３、６４３’）と、バンドパスフィルタ６４３’に接続された電力制御のためのソリッドステートリレー（若しくはサイリスタ）６４４と、バンドパスフィルタ６４３’及びソリッドステートリレー６４４を介してシースヒータ６３１に及びバンドパスフィルタ６４３を介して熱電対６３０にそれぞれ接続された温度調節器６４５と、該温度調節器に接続された交流電源６４６とから成る。但し、高周波によるノイズの影響が少ない場合には、バンドパスフィルタ（６４３、６４３’）は必ずしも必要ない。
【００３３】
真空ロードロック室で真空搬送ロボット（図示せず）に搭載されたφ３００ｍｍのガラス若しくはシリコン基板である被処理体６０１はリアクタ壁６０２の開口部６２３よりＷＨＣ６４０内へ搬入される。この際、ＷＨＣ６４０に設置されたサセプタ６０３及び基板リフト機構６３２に取付けられた複数の基板リフトピン６２４は、いずれもリアクタ外部に取付けられたモーター等の昇降機構（図示せず）により、基板より相対的に低い位置に下降している。複数のリフトピン６２４はサセプタ６０３の表面から相対的に上昇し、基板のエッジ部付近を保持する。その後、サセプタ６０３は基板６０１をサセプタ表面上に載置しながら、基板リフト機構６３２とともに成膜条件によって決められた電極間距離となる位置まで上昇する。被処理体６０１の表面に膜を形成するための反応ガスは、マスフローコントローラ（図示せず）によって所定の流量に制御された後、配管６０５より、バルブ６０６、配管６１４、上部天板６４７の開口部６１６、ガス分散板６０７及びシャワーヘッド６０４に設けられた複数のガス噴出し穴を通じて反応領域６４１へ均等に導入される。
【００３４】
反応領域６４１へ導入された反応ガスは、圧力制御され、高周波電源（６０８，６１８）により供給される数百ｋＨｚ〜数十ＭＨｚの高周波電力によってプラズマ化される。被処理体６０１の表面上で化学反応が生じ所望の膜が形成される。成膜時に不活性ガス導入口６３５からＷＨＣ６４０内にＨｅ、Ａｒ若しくはＮ２等の不活性ガスが導入される。これにより、ＷＨＣ６４０は反応領域６４１より陽圧となり、反応ガスがＷＨＣ６４０内に流入するのが防止される。その結果、反応ガスを成膜のために効率良く使用できると同時にＷＨＣ６４０内壁に不要な堆積物が付着することを避けることもできる。不活性ガスの流量は、反応ガスの流量若しくは反応チャンバの圧力に応じて適宜制御される。
【００３５】
成膜処理が終了した後、反応領域に残存する反応ガス及び副生成物は排気ギャップ６２５よりダクト６３３内のガス通路６２６を通じて排気口６２０から外部に排気される。成膜処置が終了すると、サセプタ６０３及び基板リフト機構６３２が基板搬送位置まで下降する。サセプタ６０３はそこからさらに下降することで、相対的に基板リフトピン６２４がサセプタ６０３表面上へ突出し、被処理体（半導体基板）６０１を空中で保持する。その後、半導体基板６０１は搬送手段（図示せず）によって開口部６２３を通じて外部の真空ロードロック室（図示せず）に搬出される。
【００３６】
一枚から複数枚の成膜処理が終了した後、反応領域６４１内で反応ガスに晒された部分の堆積物をクリーニングするためのセルフクリーニングが実行される。クリーニングガス（例えば、Ｃ２Ｆ６＋Ｏ２、ＮＦ３＋Ａｒ、Ｆ２＋Ａｒ等）は所定の流量に制御された後、配管６１２を通じて遠隔プラズマ放電装置６１３に導入される。遠隔プラズマ放電装置６１３によって活性化されたクリーニングガスは、配管６１４を通じてバルブ６１５を介し、リアクタの上部天板６４７の開口部６１６へ導入される。開口部６１６からリアクタ内に導入されたクリーニングガスはガス分散板６０７及びシャワーヘッド６０４に設けられた複数のガス噴出口を介して反応領域６４１に均等に分配される。導入されたクリーニングガスは反応領域６４１の反応チャンバ内壁に付着した堆積物と化学反応し、該堆積物を気化させる。気体となった堆積物は排気ギャップ６２５よりダクト６３３内のガス通路６２６を通じて排気口６２０から外部に排気される。
【００３７】
次に、本発明のある実施態様に係るクリーニング効率を向上させるための方法を以下説明するが、本発明はそれに限定されるものではない。該実施態様では、該方法は、サセプタの表面積／被処理体の表面積の値が約１．０８〜約１．３８になるようなサセプタを選択する工程と、シャワーヘッドの表面積／サセプタの表面積の値が約１．０５〜約１．４４になるようなシャワーヘッドを選択する工程と、シャワーヘッドの温度を約２００℃〜約４００℃に制御する工程と、を含む。基板面積に対するサセプタ表面積の比を１．０８〜１．３８の範囲に制限する工程は、具体的にはサセプタの寸法を変更する以外にも、環状の絶縁体板で余分なサセプタ表面を覆うことでプラズマの発生を抑え実質的な面積を制限することも可能である。シャワーヘッドの温度を約２００℃〜約４００℃に制御する工程は、ある実施態様では熱電対６３０からの信号に応答して温度調節器６４５が所定の温度になるよう複数のシースヒータ６３１に電力を供給するというものである。熱電対６３０は成膜時の高周波電力の影響を避けるためバンドパスフィルタ６４３を介して温度調節器６４５に信号を送る。一方、温度調節器６４５は該信号に応答して電力制御のためのソリッドステートリレー６４４及び成膜時の高周波電力の影響をさけるためのバンドパスフィルタ６４３を介して複数のシースヒータ６３１に電力を供給する。
【００３８】
さらにある実施態様では、方法は、セルフクリーニングの頻度を最適化する工程を含む。該工程は具体的には２００℃〜４００℃に制御されたシャワーヘッドの各温度に対して、連続処理可能な積算膜厚の上限値を求める工程と、被処理体上に成膜する膜厚で上限値を割り算し、最大のクリーニングサイクルを求める工程と、から成る。この実施態様では２００℃〜４００℃に制御されたシャワーヘッドの各温度に対して、連続処理可能な積算膜厚の上限値を求める工程は、具体的には、各設定温度においてクリーニングを実施せずに連続で成膜処理を行い、シャワーヘッド表面から膜が剥離し基板上に発塵が確認されるまでの最大処理枚数をチェックすることである。例えば、上記した（検証２）の実験のようにプラズマ酸化珪素膜０．５μｍを成膜した場合、連続処理可能な積算膜厚（μｍ）＝０．５（μｍ）×（最大処理枚数）となる。
【００３９】
図を参照して、本発明の半導体基板である被処理体を一枚ずつ処理する枚葉式ＣＶＤ装置を説明する。
【００４０】
図１はチャンバ断面図、図２は成膜中のチャンバ内詳細図である。被処理体である半導体基板をチャンバに接続された真空搬送室（図示せず）等よりサセプタ（８）へ搬送後、サセプタ昇降手段（図示せず）により上昇させサセプタ外周部と分離板（５）下部に設けられたオーリング（６）により反応チャンバ（１２）と基板搬送チャンバ（１１）を完全に分離する。またこの状態で半導体基板外周部の所定の領域はガードリング（７）により覆われている。所定の領域は後工程で使用される装置の接触部位を考慮して約０．５ｍｍ〜約３ｍｍの範囲で決定される。図１はサセプタが上昇し反応チャンバと基板搬送チャンバが分離された状態である。次に成膜の流れを説明する。アッパーボディー（１）に設けられたガス導入口（１３）より反応ガスを供給し、ガス分散板（２）により均一に分散された反応ガスはシャワーヘッド（３）に多数空けられた穴（１０）から半導体基板（１４）へ噴射される。反応ガスは排気ダクトと分離板の隙間（１５）を通り排気される。シャワーヘッドは加熱及び冷却手段（図示せず、但し図５中にものに類似する）により所定の温度に制御されている。該所定の温度は使用する反応ガスにより適時決められる。好適には約５０℃〜約４００℃である。この温度は特に金属膜成膜に多く用いられる有機金属錯体の物性により、分解温度以下であり且つ成膜反応圧力にて凝縮しない温度以上である必要があるだろう。半導体基板はサセプタにより所定の温度まで加熱され、金属膜が成膜される。この時基板搬送チャンバに供給された不活性ガスはサセプタに設けられた穴（９）から、半導体基板とサセプタの間を通り、ガードリングの隙間から排気ダクト（４）から排気され、半導体基板裏面とエッジから所定領域の金属膜成膜が防止される。サセプタ所定の温度は使用する反応ガスによるが好適には約８０℃〜約６００℃（他の実施態様で約１００℃から約４００℃）である。また反応チャンバのサセプタと半導体基板の距離及び反応ガス排気の為の隙間（１５）の距離は分離板の厚みを変える事により容易に変更できる。（図３、図４）サセプタとシャワープレートの距離は好適には約１０ｍｍ〜約４０ｍｍ（２０ｍｍ、３０ｍｍ、及び以上のいずれかを含む範囲を含む）である。反応ガス排気の隙間（１５）の距離は好適には約０．２ｍｍ〜約４ｍｍである。
成膜反応中の圧力（Ｐ１）は排気ダクト内で測定（Ｐ２）し隙間（１５）をパラメータとして計算されたコンダクタンス（Ｃ）と反応ガス流量をパラメータとして計算された（Ｑ）から次式により半導体基板近傍の反応圧力を算出しＡＰＣ（オートプレッシャーコントローラ：図示せず）を使用して反応圧力をコントロールする。
【００４１】
Ｐ１＝Ｑ／（Ｃ（１−Ｐ２／Ｐ１））
上記の様に反応チャンバ内には所定の温度にコントロールされたシャワーヘッド、サセプタ、ガードリングのみを配置する事により半導体基板以外への成膜を最小限とする事が可能となり、通常のメンテナンス時にはガードリングの交換のみで装置を復帰させる事が可能となった。また、ある実施態様では、長期間使用後のメンテナンス時にはシャワーヘッド交換及び排気ダクトの清掃が必要であるが、これも本発明のチャンバ構造では容易に行える。
【００４２】
図１のリアクタを用いたＣｕ薄膜の成膜を例に本発明の実施例を説明する。真空排気されたロードロックチャンバ（図示せず）から半導体基板をサセプタ８に搬送後、サセプタ昇降手段により反応位置まで上昇させる。この時サセプタ外周部は分離板５下部に設けられたＯ−リングによりシールされ、基板搬送チャンバ１１と反応チャンバ１２は完全に分離される。またこの時基板外周部２ｍｍはガードリング７により完全に覆われており、基板搬送チャンバからサセプタに設けられた穴９を通ってＡｒを流し、基板裏面と基板エッジへの成膜を防止する。反応チャンバへサセプタを上昇させた後ガス導入口１３より１０００ｓｃｃｍの不活性ガスを導入し、８０℃に制御されたシャワーヘッド３に設けられた穴１０から基板上へ照射しながら基板を１５０℃まで加熱する。この際の圧力もＡＰＣ（図示せず）により成膜時と同じ３Ｔｏｒｒに制御する。約１２０ｓｅｃの基板昇温後不活性ガスを止め、気化器（図示せず）により気化されたＣｕ　ｓｏｕｒｃｅ（ＳＣＨＵＭＡＣＨＥＲ社製、ＣｕｐｒａＳｅｌｅｃｔ）をキャリアガスＡｒ７００ｓｃｃｍと切り替え反応リアクタへ導入する。導入されたＣｕ　ｓｏｕｒｃｅは分散板２により均等に分散されシャワーヘッド３の穴１０から基板へ照射される。基板に照射されたＣｕ　ｓｏｕｒｃｅは排気ダクトと分離板５により同心円状に形成された隙間０．５ｍｍより排気される。またこの時排気ダクト内で圧力（Ｐ２）を測定し設定されたコンダクタンスとガス流量をパラメータとして計算されたＣ，Ｑから下記の式により基板近傍の圧力（Ｐ１）を計算しＡＰＣ（図示せず）により３Ｔｏｒｒにコントロールする。
【００４３】
Ｐ１＝Ｑ／（Ｃ（１−Ｐ２／Ｐ１））
約１分間の成膜後Ｃｕ　ｓｏｕｒｃｅの供給を止め反応チャンバ内を真空排気し、Ｎ２ガスでパージし残ガスを排出する。その後基板裏面及び基板エッジ部の成膜を防止するために基板搬送チャンバに流していたＡｒを止め、基板搬送チャンバ内を真空排気し、サセプタを搬送位置まで下降させる。その後真空排気されたロードロックチャンバへ成膜後の基板を搬出する。このように成膜された基板には裏面及びエッジへのＣｕの成膜が見られず、後工程にて特別な洗浄を行わなくても金属汚染を引き起こす恐れがない。また、本発明による成膜では基板以外への成膜がほとんど認められずメンテナンスの周期が長い事がわかる。さらにまた基板以外に僅かに成膜されるガードリングはメンテナンスにより容易に交換可能な事から、メンテナンスに関わるダウンタイムが短い事が分かる。
【００４４】
なお、前記した通り本願中では特願２００１−３６１６６９（出願日２００１年１１月２７日）等の全開示内容を組み込んでいるが、例えば、該日本出願では次の内容を開示しており、必要により本願でも適用ができる。
【００４５】
（１）セルフクリーニングを実行するプラズマＣＶＤ装置であって、
反応チャンバと、
前記反応チャンバ内にあって、被処理体を載置しかつ加熱するためのサセプタであって、プラズマ生成のための一方の電極を兼ねるサセプタと、
前記反応チャンバ内にあって、前記サセプタと対向し、それと平行に設置され前記被処理体に反応ガスを噴射するためのシャワーヘッドであって、プラズマ生成のためのもう一方の電極を兼ねるシャワーヘッドと、
前記シャワーヘッドを所定の温度に温度制御するための温度制御機構と、
前記反応チャンバの外部にあって遠隔的にクリーニングガスを活性化するための遠隔プラズマ放電装置と、
前記サセプタ若しくは前記シャワーヘッドのいずれかに電気的に接続された高周波電力供給手段と、
から成る装置。
【００４６】
（２）セルフクリーニングを実行するプラズマＣＶＤ装置であって、
リアクタと、
前記リアクタ内にあって、被処理体を載置しかつ加熱するためのサセプタであって、プラズマ生成のための一方の電極を兼ねるサセプタと、
前記サセプタを上下移動するための昇降手段と、
前記リアクタの天井にあって、前記サセプタと対向し、それと平行に設置され前記被処理体に反応ガスを噴射するためのシャワーヘッドであって、プラズマ生成のためのもう一方の電極を兼ねるシャワーヘッドと、
前記シャワーヘッドを支持し、前記シャワーヘッドの周辺近傍に位置し、前記リアクタの内壁面に沿って環状に設けられた絶縁体から成るダクト手段と、
前記ダクト手段と同軸でその底面と僅かに隙間を形成するように及び成膜時に前記サセプタとの間に僅かに隙間を形成するように設置された環状の絶縁体分離板であって、前記リアクタを反応チャンバと基板搬送チャンバとに実質的に分離する絶縁体分離板と、
前記基板搬送チャンバ内に不活性ガスを導入するための手段であって、成膜時に前記絶縁体分離板と前記サセプタとの間に形成された隙間を通じて基板搬送チャンバから反応チャンバ方向に不活性ガスを流すところの手段と、
前記シャワーヘッドを所定の温度に温度制御するための温度制御機構と、
前記リアクタの外部にあって遠隔的にクリーニングガスを活性化するための遠隔プラズマ放電装置と、
前記サセプタ若しくは前記シャワーヘッドのいずれかに電気的に接続された高周波電力供給手段と、
から成る装置。
【００４７】
（３）前記（１）または（２）に記載のプラズマＣＶＤ装置であって、前記所定の温度は２００℃〜４００℃である、ところの装置。
【００４８】
（４）前記（１）または（２）に記載のプラズマＣＶＤ装置であって、前記温度制御機構は、前記シャワーヘッドに近接配置されたひとつ若しくはそれ以上の加熱手段と、温度測定手段と、前記加熱手段及び前記温度測定手段に結合された温度調節手段とから成る、ところの装置。
【００４９】
（５）前記（４）に記載のプラズマＣＶＤ装置であって、前記加熱手段はシースヒータであり、前記温度測定手段は熱電対である、ところの装置。
【００５０】
（６）前記（１）または（２）に記載のプラズマＣＶＤ装置であって、前記サセプタの表面積／前記被処理体の表面積の値が１．０８〜１．３８である、ところの装置。
【００５１】
（７）前記（１）または（２）に記載のプラズマＣＶＤ装置であって、前記シャワーヘッドの表面積／前記サセプタの表面積の値が１．０５〜１．４４である、ところの装置。
【００５２】
（８）前記（１）に記載のプラズマＣＶＤ装置を使ってセルフクリーニングを効率良く実行する方法であって、
前記サセプタの表面積／前記被処理体の表面積の値が１．０８〜１．３８になるようなサセプタを選択する工程と、
前記シャワーヘッドの表面積／前記サセプタの表面積の値が１．０５〜１．４４になるようなシャワーヘッドを選択する工程と、
前記シャワーヘッドの温度を２００℃〜４００℃に制御する工程と、
前記遠隔プラズマ放電装置を使ってクリーニングガスを活性化し、生成されたクリーニング活性種を前記反応チャンバ内に導入する工程と、
前記高周波電力供給手段によって、前記サセプタと前記シャワーヘッドとの間の反応空間にプラズマを発生させる工程と、
前記反応チャンバ内部を圧力制御する工程と、
から成る方法。
【００５３】
（９）前記（８）に記載の方法であって、さらにセルフクリーニングの頻度を最適化する工程を含む、ところの方法。
【００５４】
（１０）前記（９）に記載の方法であって、セルフクリーニングの頻度を最適化する工程は、
２００℃〜４００℃に制御されたシャワーヘッドの各温度に対して、連続処理可能な積算膜厚の上限値を求める工程と、
被処理体上に成膜する膜厚で前記上限値を割り算し、最大のクリーニングサイクルを求める工程と、
から成る方法。
【００５５】
なお、本発明は図１〜５の形状に限定されるものでは無く、変更可能である。
【００５６】
【効果】
以上の様に本発明のある実施態様により後工程の汚染を防ぐ特別な洗浄が不要となり、チャンバ内への不要な成膜が起こらない事からメンテナンスに係るダウンタイムを減らし、且つ安定な成膜プロセス装置を提供する事が可能となった。更にまた本発明のある実施態様における装置ではシャワーヘッド、サセプタ温度を広範囲に変更できる事から将来的に必要になる物性の異なる新材料をＳｏｕｒｃｅとして用いる際にも新たな装置を必要とせず、コストダウンが可能となった。
【図面の簡単な説明】
【図１】図１は、本発明で用い得るチャンバの断面図である。
【図２】図２は、図面１の部分拡大図である。
【図３】図３は、本発明のある実施態様において分離板形状を変えることにより排気の隙間を変更したことを示す図である。
【図４】図４は、本発明のある実施態様分離板、ガードリングの形状を変えることにより反応チャンバのギャップを変更したことを示す図である。
【図５】図５は、特願２００１−３６１６６９の図６に相当する。
【符号の説明】
１：アッパーボディー
２：分散板
３：シャワープレート
４：排気ダクト
５：分離板
６：オーリング
７：ガードリング
８：サセプタ
９：穴（サセプタ）
１０：穴（シャワープレート）
１１：基板搬送チャンバ
１２：反応チャンバ
１３：ガス導入口
１４：半導体基板
１５：隙間
【図１】
2004006794.tif 000003
【図２】
2004006794.tif 000004
【図３】
2004006794.tif 000005
【図４】
2004006794.tif 000006
【図５】
2004006794.tif 000007